【手続補正書】
【提出日】平成19年7月12日(2007.7.12)
【手続補正１】
【補正対象書類名】明細書
【補正対象項目名】０００７
【補正方法】変更
【補正の内容】
【０００７】
上記目的を達成するために、請求項１記載の発明では、円筒状の収容空間を有し印刷ドラムから剥離された使用済みマスタを収容する排版ボックスと、該排版ボックス内に収容された使用済みマスタを回転動作により圧縮する圧縮板と、該圧縮板を回転させる駆動手段を有し、該排版ボックスが、該圧縮板の回転方向下流側に該圧縮板が進入しない非圧縮空間部を有する排版回収装置において、上記圧縮板の圧縮最大下限位置近傍に、最初に収容された使用済みのマスタを圧縮し得る圧縮壁が設けられ、該圧縮壁は所定以上の圧力で上記非圧縮空間部を移動可能に設けられている、という構成を採っている。
【手続補正２】
【補正対象書類名】明細書
【補正対象項目名】０００８
【補正方法】変更
【補正の内容】
【０００８】
請求項２記載の発明では、請求項１記載の排版回収装置において、上記圧縮壁がバネで付勢され、上記圧縮最大下限位置における圧縮板に略平行な状態を保ちながら上記非圧縮空間部を移動する、という構成を採っている。
【手続補正３】
【補正対象書類名】明細書
【補正対象項目名】０００９
【補正方法】変更
【補正の内容】
【０００９】
請求項３記載の発明では、請求項１又は２記載の排版回収装置において、上記圧縮壁のマスタ接触面が、上記圧縮板のマスタ圧縮面より使用済みマスタが張り付きやすいように形成されている、という構成を採っている。
【手続補正４】
【補正対象書類名】明細書
【補正対象項目名】００１０
【補正方法】変更
【補正の内容】
【００１０】
請求項４記載の発明では、請求項３記載の排版回収装置において、上記圧縮壁のマスタ接触面が平面状をなし、上記圧縮板のマスタ圧縮面が凹凸状をなす、という構成を採っている。
【手続補正５】
【補正対象書類名】明細書
【補正対象項目名】００１１
【補正方法】変更
【補正の内容】
【００１１】
請求項５記載の発明では、印刷ドラム上の使用済マスタを排版回収装置により回収する印刷装置において、上記排版回収装置が請求項１乃至４の何れかに記載のものである、という構成を採っている。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】変更
【補正の内容】
【００２４】
請求項１又は５記載の発明によれば、円筒状の収容空間を有し印刷ドラムから剥離された使用済みマスタを収容する排版ボックスと、該排版ボックス内に収容された使用済みマスタを回転動作により圧縮する圧縮板と、該圧縮板を回転させる駆動手段を有し、該排版ボックスが、該圧縮板の回転方向下流側に該圧縮板が進入しない非圧縮空間部を有する排版回収装置において、上記圧縮板の圧縮最大下限位置近傍に、最初に収容された使用済みのマスタを圧縮し得る圧縮壁が設けられ、該圧縮壁は所定以上の圧力で上記非圧縮空間部を移動可能に設けられている構成としたので、マスタ持ち帰り現象を抑制でき、排版ジャム等を防止できる。
【手続補正１９】
【補正対象書類名】明細書
【補正対象項目名】００２５
【補正方法】変更
【補正の内容】
【００２５】
請求項２又は５記載の発明によれば、請求項７記載の排版回収装置において、上記圧縮壁がバネで付勢され、上記圧縮最大下限位置における圧縮板に略平行な状態を保ちながら上記非圧縮空間部を移動する構成としたので、簡単な構成で非圧縮空間部における圧縮位置可変構造を得ることができる。
【手続補正２０】
【補正対象書類名】明細書
【補正対象項目名】００２６
【補正方法】変更
【補正の内容】
【００２６】
請求項３又は５記載の発明によれば、請求項７又は８記載の排版回収装置において、上記圧縮壁のマスタ接触面が、上記圧縮板のマスタ圧縮面より使用済みマスタが張り付きやすいように形成されている構成としたので、圧縮板の戻り動作によるマスタ持ち帰り現象を抑制することができる。
【手続補正２１】
【補正対象書類名】明細書
【補正対象項目名】００２７
【補正方法】変更
【補正の内容】
【００２７】
請求項４又は５記載の発明によれば、請求項９記載の排版回収装置において、上記圧縮壁のマスタ接触面が平面状をなし、上記圧縮板のマスタ圧縮面が凹凸状をなす構成としたので、簡単な構成により使用済みマスタを圧縮壁に張り付かせることができる。
【手続補正２２】
【補正対象書類名】明細書
【補正対象項目名】００２８
【補正方法】変更
【補正の内容】
【００２８】
以下、本発明の実施形態を図面に基づいて説明する。なお、従来技術と同一部分は同一符号で示す。
まず、図１に基づいて、本実施形態における印刷装置としての孔版印刷装置の全体構成及び孔版印刷プロセスの概要を説明する。
装置本体５０の上部には原稿読取部８０が設けられており、その下方中央部には多孔性の印刷ドラム１０１を有する印刷ドラム部１００が設けられている。印刷ドラム部１００の上方右側には製版装置９０が設けられ、印刷ドラム部１００の上方左側には排版回収装置７０が設けられている。また、製版装置９０の下方には給紙装置１１０が、印刷ドラム部１００の下方には印圧部１２０が、排版回収装置７０の下方には排紙部１３０が、それぞれ設けられている。
【手続補正２３】
【補正対象書類名】明細書
【補正対象項目名】００３９
【補正方法】変更
【補正の内容】
【００３９】
次に、図３に基づいて参考例における排版回収装置７０の動作を説明する。
本参考例では、最初の１０版までは圧縮板７５の圧縮角度を最大圧縮可能角度（非圧縮空間部７６が使用済みマスタ６１ｂにより満たされない状態では圧縮板７５が圧縮最大下限位置ＬＬに位置する角度）より小さく設定する。
具体的には、図３に示すように、ホームポジションＨＰからの圧縮角度を約１８０°に設定している。図３では、排版コロ対７３ａ，７３ｂ等は省略している。
最初の１０版までは圧縮板７５は１版毎にこの圧縮短縮位置ＳＰまで回転し、ホームポジションＨＰに戻る圧縮動作を繰り返す。従って、初期段階では、使用済みマスタ６１ｂは単に圧縮板７５から放り出されるだけであり、圧縮はされない。
１１版目からは最大圧縮可能角度まで圧縮する。最大圧縮可能角度とは、所定の圧縮力で圧縮する角度で、使用済みマスタ６１ｂの回収が増えるにつれて変化する角度である。
【手続補正２４】
【補正対象書類名】明細書
【補正対象項目名】００４１
【補正方法】変更
【補正の内容】
【００４１】
圧縮短縮モードにおける圧縮角度（圧縮短縮位置ＳＰ）は、実験的に決定されるものである。使用済みマスタ６１ｂのサイズや種類によっては排版ボックス７４内での嵩張りの度合いが異なるので、圧縮短縮位置ＳＰは使用済みマスタ６１ｂのサイズ又は種類に応じて調整するようにしてもよい（第２の参考例）。
マスタのサイズに基づいた調整の場合、制御手段１２１は、操作パネル１２２により入力された用紙サイズ情報又は給紙台５１に設けられた用紙サイズセンサ１２３（図２）からの検知情報に基づいてマスタサイズを判断し、予め実験等により求められて記憶されたサイズと適正な圧縮短縮位置ＳＰとの関係データテーブルから対応する圧縮短縮位置ＳＰを選択する。
マスタの種類に基づいた調整の場合、例えば操作パネル１２２に、マスタの種類を入力するためのマスタ種類入力手段を設ける。制御手段１２１は、入力された情報に基づいてマスタ種類を判断し、予め実験等により求められて記憶されたマスタ種類と適正な圧縮短縮位置ＳＰとの関係データテーブルから対応する圧縮短縮位置ＳＰを選択する。
圧縮角度に代えて、圧縮時間又は圧縮距離を基準にしてもよい。
【手続補正２５】
【補正対象書類名】明細書
【補正対象項目名】００４２
【補正方法】変更
【補正の内容】
【００４２】
満杯検知及び使用済みマスタ６１ｂが捨てられたことを、圧縮短縮モード実行の条件とした場合、満杯検知がなされないうちに使用済みマスタ６１ｂが捨てられたときは、排版ボックス７４内は空であるにも拘わらず、圧縮短縮モードは実行されないことになる。
そこで、図４に示すように、非圧縮空間部７６に使用済みマスタ６１ｂを検知するマスタ検知手段９９を設け、該マスタ検知手段９９によって使用済みマスタ６１ｂが検知されなくなってから圧縮短縮モードを設定して版数のカウントを開始するようにしてもよい（第３の参考例）。マスタ検知手段９９としては、光反射型センサ、光透過型センサ、機械センサ等を用いることができる。
また、排版ボックス７４内の使用済みマスタ６１ｂの廃棄動作が確認されることのみを条件として圧縮短縮モードを設定し、版数のカウントを開始するようにしてもよい（第４の参考例）。すなわち、排版ボックス着脱センサ９８の検知情報のみに基づき、使用済みマスタ６１ｂが捨てられたことが確認されたら圧縮短縮モードを設定し、版数のカウントを開始する。
【手続補正２６】
【補正対象書類名】明細書
【補正対象項目名】００４３
【補正方法】変更
【補正の内容】
【００４３】
次に、図５に基づいて本発明の実施形態を説明する。
本実施形態では、圧縮板７５の圧縮角度を小さくすることによってマスタ持ち帰り現象を抑制するのではなく、使用済みマスタ６１ｂが少ない段階でも圧縮力を与えて張り付かせ、これによって圧縮板７５による連れ戻りを抑制するものである。
図５に示すように、圧縮板７５の圧縮最大下限位置ＬＬの近傍に、最初に収容された使用済みマスタ６１ｂを圧縮し得る圧縮壁１２４が設けられ、該圧縮壁１２４は所定以上の圧力で非圧縮空間部７６を移動可能に設けられている。ここでの所定以上の圧力は、圧縮板７５の所定の圧縮力よりも小さい圧力である。なお、図５では排版コロ対７３ａ，７３ｂ等は省略している。
圧縮壁１２４はバネ１２５で図中左側へ付勢されており、圧縮最大下限位置ＬＬにおける圧縮板７５に略平行な状態を保ちながら、すなわち面対向しながら非圧縮空間部７６を移動する。
【手続補正２７】
【補正対象書類名】明細書
【補正対象項目名】００４５
【補正方法】変更
【補正の内容】
【００４５】
【図１】本発明の実施形態における印刷装置としての孔版印刷装置の概要正面図である。
【図２】制御ブロック図である。
【図３】参考例における排版回収装置の要部断面図である。
【図４】第３の参考例における排版回収装置の要部断面図である。
【図５】本発明の実施形態における排版回収装置の要部断面図である。
【図６】従来の排版回収装置の圧縮動作を示す要部断面図である。